(57)【要約】【課題】細かい粒子の浮遊物質を無薬注で処理する濃縮機に関し、運転中に排出口の開口調整を可能とした回転濃縮機を提供する。【解決手段】外筒（１）とスクリュー羽根（２）を差速回転させながら、汚泥を濃縮する回転濃縮機において、上記外筒（１）の排出側を支架する出口外筒フランジ（５）に円周方向に開口した複数の排出口（１２）を設け、この出口外筒フランジ（５）に堰板（１８）を摺接させると共に、堰板（１８）に放射状に延設した羽根部（１８ａ）を設け、堰板（１８）の羽根部（１８ａ）で出口外筒フランジ（５）の排出口（１２）の開口度を調整させるもので、流入汚泥の性状の変化に対しても、運転を停止させることなく排出口（１２）の調整が可能となるもので、高濃度に濃縮された均一な濃縮汚泥を連続的に取出すことができる。【選択図】　　　図１
2004017014.tif 000002
【特許請求の範囲】
【請求項１】
外筒（１）にスクリュー羽根（２）を巻き掛けたスクリュー軸（３）を配設し、外筒（１）とスクリュー羽根（２）を差速回転させながら、外筒（１）の始端部に汚泥を供給し、ろ液を外筒（１）のろ過面から排出して、ろ過室（７）の終端部から濃縮汚泥を取出す回転濃縮機において、上記外筒（１）の排出側を支架する出口外筒フランジ（５）に円周方向に開口した複数の排出口（１２）を設け、この出口外筒フランジ（５）に堰板（１８）を摺接させると共に、堰板（１８）に放射状に延設した羽根部（１８ａ）を設け、堰板（１８）の羽根部（１８ａ）で出口外筒フランジ（５）の排出口（１２）の開口度を調整させることを特徴とする回転濃縮機における排出口の調整装置。
【請求項２】
上記出口外筒フランジ（５）に連結した外筒駆動軸（８）にカム作動ブッシュ（１４）を摺動自在に挿入し、カム作動ブッシュ（１４）の端部に転動挟持させたローラー（１６）を、ろ液受槽（９）の側板（９ａ）に支架した調整ボルト（１７）に止着して、調整ボルト（１７）の螺動によりカム作動ブッシュ（１４）を前後進移動させると共に、カム作動ブッシュ（１４）に植設したガイドピン（２１）を、堰板（１８）のボス（１９）に設けたカム溝（２０）に挿通して堰板（１８）を回動させ、更に、堰板（１８）の円周方向に複数の摺動溝（２２）を設け、この摺動溝（２２）に挿通したガイドボルト（２３）を出口外筒フランジ（５）に螺着して堰板（１８）を回動自在に遊嵌保持し、出口外筒フランジ（５）の排出口（１２）の開口度を堰板（１８）の羽根部（１８ａ）で調整することを特徴とする請求項１に記載の回転濃縮機における排出口の調整装置。
【発明の詳細な説明】
【０００１】
【発明の属する技術分野】
この発明は、上水、下水及び工場排水等の細かい粒子の浮遊物質を無薬注で処理する回転濃縮機に関し、特に、濃縮汚泥の排出口の調整装置に関する。
【０００２】
【従来の技術】
従来、濃度の低い汚泥を処理するスクリュープレス型濃縮機としては、スクリーンを張設した外筒内にスクリュー羽根を巻き掛けたスクリュー軸を内接し、外筒とスクリュー軸を逆回転させながら、スクリュー軸の先端部の供給路から汚泥を供給し、スクリュー軸の終端部の排出路から濃縮汚泥を抜出す濃縮機は、例えば、特開２００１−１３８０９７号公報に記載してあるように、この発明の特許出願人が提案している。また、円筒形スクリーンにスクリュー羽根を回転自在に配設し、円筒形スクリーンの脱水汚泥の排出口に配設した背圧板をスクリュー軸にナットで固定した汚泥脱水機も、例えば、特開２０００−２８８７９４号公報に記載してあるように公知である。
【０００３】
【発明が解決しようとする課題】
しかしながら、従来の汚泥の排出口は、外筒が回転しているため運転中の調整が出来ず、調整するためには一時停止する必要がある。また、調整が適当であるか否かは運転して分かるものであり、汚泥性状の変動による調整に不便さを感じていた。この発明は、運転中に排出口の開口調整を可能とした差速回転型の濃縮装置を提供する。
【０００４】
【課題を解決するための手段】
この発明の回転濃縮機における排出口の調整装置の要旨は、外筒にスクリュー羽根を巻き掛けたスクリュー軸を配設し、外筒とスクリュー羽根を差速回転させながら、外筒の始端部に汚泥を供給し、ろ液を外筒のろ過面から排出して、終端部の排出口から濃縮汚泥を取出す回転濃縮機において、上記外筒の排出側を支架する出口外筒フランジに円周方向に開口した複数の排出口を設け、この出口外筒フランジに堰板を摺接させると共に、堰板に放射状に延設した羽根部を設け、堰板の羽根部で出口外筒フランジの排出口の開口度を調整させるもので、流入汚泥の性状の変化に対しても、運転を継続しながら出口外筒フランジに堰板を摺接させながら回転させて、排出口の調整が可能となるもので、均一な濃縮汚泥を取出すことができる。
【０００５】
詳しくは、排出口の調整装置が、出口外筒フランジに連結した外筒駆動軸にカム作動ブッシュを摺動自在に挿入し、カム作動ブッシュの端部に転動挟持させたローラーを、ろ液受槽の側板に支架した調整ボルトに止着して、調整ボルトの螺動によりカム作動ブッシュを前後進移動させると共に、カム作動ブッシュに植設したガイドピンを、堰板のボスに設けたカム溝に挿通して堰板を回動させ、更に、堰板の円周方向に複数の摺動溝を設け、この摺動溝に挿通したガイドボルトを出口外筒フランジに螺着して堰板を回動自在に遊嵌保持し、出口外筒フランジの排出口の開口度を堰板の羽根部で調整するもので、回転しているカム作動ブッシュを調整ボルトで平行移動させ、強制的に堰板を回転させて排出口を調整することができる。
【０００６】
【発明の実施の形態】
この発明は上記のように構成してあり、外筒をスクリュー軸の回転に対して逆回転させながら、外筒の始端部に汚泥を供給すると、スクリュー羽根で汚泥は移送されながら、外筒からろ液が分離されて汚泥は濃縮される。汚泥性状の変動に対応して、ろ液受槽の側板に支架した調整ボルトを螺動して、調整ボルトに止着したローラーを前後に移動させると、クリュー軸に摺接しながら回転するカム作動ブッシュの外周を転動しながらローラーがカム作動ブッシュを押し引きする。そして、堰板に設けた円周方向の摺動溝を、カム作動ブッシュのガイドピンが強制的に移動すると、出口外筒フランジに螺着したガイドボルトに堰板の摺動溝が案内されて堰板を回動させる。運転を停止させることなく、回動する堰板の羽根部で出口外筒フランジの排出口の開口度を調整して、高濃度に濃縮された汚泥を連続的に取出すことができる。
【０００７】
【実施例】
この発明の実施例を図面に基づき詳述すると、先ず、図１は回転濃縮機の縦断側面図であって、周部にろ過面を有する外筒１に、スクリュー羽根２を巻き掛けたスクリュー軸３が配設してあり、外筒１の端部に入口外筒フランジ４と出口外筒フランジ５が嵌着してある。入口外筒フランジ４はスクリュー軸３に軸支してあり、スクリュー軸３の前端部に汚泥の供給路６が設けてある。この供給路６の複数個の供給口６ａが外筒１のスクリュー軸３の周部に設けてあり、外筒１とスクリュー軸３の間に形成したろ過室７の始端側に汚泥を供給する。図１及び図２に示すように、出口外筒フランジ５に外筒駆動軸８が連結してあり、この外筒駆動軸８がろ液受槽９に支架した軸受１０に軸支してある。
【０００８】
図１に示すように、スクリュー軸３にスクリュー駆動軸１１が連結してあり、スクリュー駆動軸１１は外筒駆動軸８に挿通して、外筒１とスクリュー軸３を駆動機（図示せず）で逆回転させるようにしてある。外筒１とスクリュー軸３は同方向に差速回転させてもよいが、外筒１とスクリュー軸３を逆回転させれば、相対的にスクリュー羽根２の回転数を高め、外筒１のスクリーン面の摺接回数を増加させ、目詰りしようとするろ過面を再生してろ液の排出を促進させ、濃度の低い汚泥の大量処理を可能とする。なお、符号１３は外筒１に沿って配設したエアーブローパイプであって、目詰まりした外筒１のスクリーン面を圧縮空気を噴射してろ過面の目詰まりを解消させる。また、符号２４は外筒１の上部に設けた飛散防止用のカバーである。図３は出口外周フランジの正面図であって、外筒１に嵌着した出口外筒フランジ５の円周方向に、ろ過室７で濃縮した濃縮汚泥をオーバーフローさせるための複数の排出口１２が設けてある。
【０００９】
図４は回転濃縮機の要部拡大図であって、出口外筒フランジ５に連結した外筒駆動軸８に外周を凹面状としたカム作動ブッシュ１４が挿入してあり、外筒駆動軸８に植設したスライドキー１５に回動不能に係止され、外筒駆動軸８の軸心に沿って摺動自在に配設してある。カム作動ブッシュ１４の端部の鍔部１４ａをローラー１６の凹溝１６ａに転動挟持させてある。転動挟持させたローラー１６はろ液受槽９の側板９ａに支架した調整ボルト１７に止着してあり、調整ボルト１７を螺動して、カム作動ブッシュ１４を前後進移動させる。外筒駆動軸８の拡大した出口外筒フランジ５の嵌着部とカム作動ブッシュ１４の先端部の外径を同径としてあり、堰板１８の一端に嵌着したボス１９を外筒駆動軸８とカム作動ブッシュ１４に挿通してある。
【００１０】
図５に示すように、堰板１８のボス１９に円周方向に傾斜させたカム溝２０が穿設してあり、カム作動ブッシュ１４に植設したガイドピン２１が、堰板１８のボス１９のカム溝２０に挿通してある。図６は堰板の正面図であって、堰板１８の円周方向に複数の摺動溝２２…が穿設してあり、外周方向に延設した複数の羽根部１８ａが設けてある。堰板１８の羽根部１８ａが出口外筒フランジ５の排出口１２に摺接してあり、堰板１８の摺動溝２２に挿通したガイドボルト２３を出口外筒フランジ５に螺着してある。出口外筒フランジ５に摺接させた堰板１８を摺動溝２２の長さの範囲で、回動自在に遊嵌保持してある。出口外筒フランジ５の排出口１２の調整は、ローラー１６でカム作動ブッシュ１４を前後進移動させれば、堰板１８が回動して出口外筒フランジ５の排出口１２の開口度を堰板１８の羽根部１７ａで調整して、回転濃縮機の運転中に操作を可能とする。
【００１１】
【発明の効果】
この発明に係る回転濃縮機における排出口の調整装置は上記のように構成してあり、運転を停止させることなく、高濃度に濃縮された汚泥を連続的に取出すことができるものである。即ち、従来の回転濃縮機は、濃縮汚泥の排出口を調整するためには一時停止する必要があり、調整が適当であるか否かは運転して分かるものであるが、この発明にあっては、外筒の排出側を支架する出口外筒フランジに複数の排出口を設け、この出口外筒フランジに堰板を摺接させると共に、堰板に放射状に延設した羽根部で出口外筒フランジの排出口の開口度を調整させるもので、流入汚泥の性状の変化に対しても、運転を継続しながら出口外筒フランジに堰板を摺接させながら回転させて、排出口の調整が可能となるもので、均一な濃縮汚泥を取出すことができる。
【図面の簡単な説明】
【図１】この発明に係る回転濃縮機の縦断面図である。
【図２】
同じく、出口外筒フランジの側面図である。
【図３】
同じく、出口外筒フランジの正面図である。
【図４】
同じく、回転濃縮機における排出口の調整装置の縦断面図である。
【図５】
同じく、堰板の側面図である。
【図６】
同じく、堰板の正面図である。
【符号の説明】
１　外筒
２　スクリュー羽根
３　スクリュー軸
５　出口外筒フランジ
７　ろ過室
８　外筒駆動軸
９　ろ液受槽
９ａ　側板
１２　排出口
１４　カム作動ブッシュ
１６　ローラー
１７　調整ボルト
１８　堰板
１８ａ　羽根部
１９　ボス
２０　カム溝
２１　ガイドピン
２２　摺動溝
２３　ガイドボルト
【図１】
2004017014.tif 000003
【図２】
2004017014.tif 000004
【図３】
2004017014.tif 000005
【図４】
2004017014.tif 000006
【図５】
2004017014.tif 000007
【図６】
2004017014.tif 000008